(57)【特許請求の範囲】
【請求項１】
情報の保存機能を備える端末装置であって、
情報を蓄積する蓄積手段と、
前記情報の公開を許可するための認証情報を入力する認証情報入力手段と、
前記蓄積手段への蓄積指示を受付けた場合に、蓄積対象情報の入力開始から前記蓄積指示までの期間に前記認証情報入力手段による前記認証情報の入力があったか否かを判定し、前記認証情報の入力があれば前記蓄積対象情報を公開可として蓄積し、前記認証情報の入力がなければ前記蓄積対象情報を公開禁止として蓄積する処理手段と、
を備えることを特徴とする端末装置。
【請求項２】
請求項１記載の端末装置において、
前記処理手段が公開可として蓄積した場合に、公開可として蓄積された前記蓄積対象情報を表示する表示手段を備えることを特徴とする端末装置。
【請求項３】
請求項１記載の端末装置において、
前記蓄積対象情報の公開時間を設定する時間設定手段を備え、前記処理手段は、前記時間設定手段に設定されている前記公開時間を参照し、前記蓄積対象情報を前記公開時間の間だけ公開することを特徴とする端末装置。
【請求項４】
請求項１記載の端末装置において、
前記認証情報は、記号情報、又は／及び、指紋情報、静脈情報、その他の生体情報であることを特徴とする端末装置。
【請求項５】
情報の保存機能を備える端末装置の情報秘匿方法であって、
公開を許可するための認証情報を入力するステップと、
蓄積手段への蓄積指示を受付けた場合に、蓄積対象情報の入力開始から前記蓄積指示までの期間に前記認証情報の入力があったか否かを判定し、前記認証情報の入力があれば前記蓄積対象情報を公開可として蓄積し、前記認証情報の入力がなければ前記蓄積対象情報を公開禁止として蓄積するステップと、
を含むことを特徴とする、端末装置の情報秘匿方法。
【請求項６】
情報の保存機能を備える端末装置の情報秘匿プログラムであって、
コンピュータに、
公開を許可するための認証情報を入力するステップと、
蓄積手段への蓄積指示を受付けた場合に、蓄積対象情報の入力開始から前記蓄積指示までの期間に前記認証情報の入力があったか否かを判定し、前記認証情報の入力があれば前記蓄積対象情報を公開可として蓄積し、前記認証情報の入力がなければ前記蓄積対象情報を公開禁止として蓄積するステップと、
を含む各ステップを実行させることを特徴とする、端末装置の情報秘匿プログラム。
【発明の詳細な説明】
【技術分野】
【０００１】
本発明は、携帯電話装置等の個人情報等の保存機能を備えた端末装置の情報秘匿に関し、特に、情報の秘匿処理を強化した端末装置、情報秘匿方法及び情報秘匿プログラムに関する。
【背景技術】
【０００２】
情報を保存する機能を備える端末装置として例えば、携帯電話装置には、内部情報を人に見られたくない場合、一部の情報を非公開とするプライバシーモードがある。このプライバシーモードでは、情報の種別や情報の個々に対する秘匿設定によって情報を非表示とするか、又は情報の表示内容を変更することによって非公開とすることが行われているが、このような情報秘匿は、各情報に対してユーザが予め秘匿設定とすることが必要である。
【０００３】
装置の使用可否によって情報を保護するものに関し、特許文献１には、静脈パターンセンサで取り込まれた静脈パターンデータの特徴データを、登録されている正規使用者の登録静脈パターンデータと照合し、一致している場合に、正規使用者本人であると判定して、携帯端末装置の使用を許可し、携帯端末装置上に管理されている秘密情報を保護することが開示されている。これは、情報を秘匿するものではない。
【特許文献１】特開２００６−１７２１２９号公報
【発明の開示】
【発明が解決しようとする課題】
【０００４】
ところで、従来の端末装置のプライバシーモードの処理では、新たに取得した情報や初めて利用した機能については別に秘匿設定操作が必要であり、また、その設定操作が複雑であるため、秘匿の設定操作を行っていることが他者に知られるという不都合があった。また、秘匿設定を忘れたり、面倒な秘匿設定であると、非公開としたい情報が保護されず、他人の目に触れるという不都合があった。
【０００５】
携帯端末装置の使用の可否を生体認証の照合により決定するもの（特許文献１）では、携帯端末装置の使用が拒否される場合には結果として内部情報の保護が行われるものの、携帯端末装置が使用状態にある場合に内部情報をどのように保護するかの対策については何ら開示も示唆もない。また、非公開としたい情報を他人の目に触れることなく、秘匿したという要請に応えるものでもない。
【０００６】
斯かる要求や課題について、特許文献１にはその開示や示唆はなく、それを解決する構成等についての開示や示唆はない。
【０００７】
そこで、本発明の目的は、携帯電話装置等の個人情報等の各種情報の保存機能を備える端末装置に関し、個人情報等の秘匿機能を向上させることにある。
【課題を解決するための手段】
【０００８】
上記目的を達成するため、この端末装置、情報秘匿方法又は情報秘匿プログラムでは、蓄積手段に蓄積する情報と認証情報の入力とを監視し、蓄積対象情報の入力開始から前記蓄積指示までの期間に前記認証情報が入力された場合には公開を許可し、認証情報の入力がなければ蓄積対象情報の公開を禁止する構成を備えている。即ち、ユーザが公開のための操作即ち、公開を許可するための認証情報を入力しない限り、保存される情報は秘匿情報として保存されるとともに、秘匿設定操作は不要であり、秘匿設定や秘匿操作を他人に知られることもなく、個人情報等の秘匿機能を向上させ、プライバシーが守られる。
【０００９】
そこで、上記目的を達成するため、この端末装置は、情報の保存機能を備える端末装置であって、情報を蓄積する蓄積手段と、前記情報の公開を許可するための認証情報を入力する認証情報入力手段と、前記蓄積手段への蓄積指示を受付けた場合に、蓄積対象情報の入力開始から前記蓄積指示までの期間に前記認証情報入力手段による前記認証情報の入力があったか否かを判定し、前記認証情報の入力があれば前記蓄積対象情報を公開可として蓄積し、前記認証情報の入力がなければ前記蓄積対象情報を公開禁止として蓄積する処理手段とを備えることである。
【００１０】
この端末装置では、蓄積対象情報の入力開始から前記蓄積指示までの期間に蓄積手段に蓄積する前記蓄積対象情報と前記認証情報の入力とを監視し、認証情報が入力された場合にのみ、公開が許可され、認証情報が入力されなければ公開が禁止されるので、個人情報等の各種の情報が秘匿処理されて保存され、プライバシーが守られる。また、各種の情報は原則として秘匿情報として扱われ、認証情報が入力されない限り、公開されることはないし、また、認証情報の入力で公開が許可されるので、秘匿のための操作がなく、秘匿操作を他人に知られることがない上、その情報が秘匿情報であるか否か、その情報を秘匿操作したか否かも他人に知られることがなく、プライバシーが守られる。
【００１１】
また、上記目的を達成するためには、上記端末装置において、好ましくは、前記処理手段が公開可として蓄積した場合に、公開可として蓄積された前記蓄積対象情報を表示する表示手段を備えてもよいし、また、前記蓄積対象情報の公開時間を設定する時間設定手段を備え、前記処理手段は、前記時間設定手段に設定されている前記公開時間を参照し、前記蓄積対象情報を前記公開時間の間だけ公開する構成としてもよいし、また、前記認証情報は、記号情報、又は／及び、指紋情報、静脈情報、その他の生体情報を用いてもよい。
【００１２】
即ち、表示手段が設置されていれば、公開可として蓄積された情報をその表示手段に表示することができる。また、公開時間を設定する時間設定手段を備えていれば、処理手段は時間設定手段に設定された公開時間を参照し、その公開時間の間だけその蓄積対象情報を公開し、公開時間が経過すれば、その情報は秘匿情報として扱われる。また、認証情報には、認証のために入力可能な情報であればどのような情報でもよく、例えば、記号情報であってもよいし、指紋情報、静脈情報、その他の生体情報であってもよいし、これら記号情報と生体情報とを併用してもよい。指紋情報を用いた場合には例えば、指紋センサに指を触れるだけで認証処理が行える。
【００１３】
また、上記目的を達成するため、この端末装置の情報秘匿方法は、情報の保存機能を備える端末装置の情報秘匿方法であって、公開を許可するための認証情報を入力するステップと、蓄積手段への蓄積指示を受付けた場合に、蓄積対象情報の入力開始から前記蓄積指示までの期間に前記認証情報の入力があったか否かを判定し、前記認証情報の入力があれば前記蓄積対象情報を公開可として蓄積し、前記認証情報の入力がなければ前記蓄積対象情報を公開禁止として蓄積するステップとを含むことである。このような方法によっても、既述の端末装置について述べた情報秘匿が行え、同様にプライバシーが守られる。
【００１４】
また、上記目的を達成するため、この端末装置の情報秘匿プログラムは、情報の保存機能を備える端末装置の情報秘匿プログラムであって、コンピュータに、公開を許可するための認証情報を入力するステップと、蓄積手段への蓄積指示を受付けた場合に、蓄積対象情報の入力開始から前記蓄積指示までの期間に前記認証情報の入力があったか否かを判定し、前記認証情報の入力があれば前記蓄積対象情報を公開可として蓄積し、前記認証情報の入力がなければ前記蓄積対象情報を公開禁止として蓄積するステップとを含む各ステップを実行させることである。端末装置にはコンピュータが搭載されているので、斯かるプログラムによっても既述の端末装置に述べた情報秘匿が行え、同様にプライバシーが守られる。
【発明の効果】
【００１５】
本発明によれば、次のような効果が得られる。
【００１６】
(1) 情報取得中又は機能操作中に認証情報を入力すれば、保存される個人情報等の情報の一時公開を許可し、認証情報の入力がなければ公開を禁止して秘匿情報とするので、秘匿設定操作を経ることなく情報を秘匿でき、秘匿設定忘れ等を防止でき、プライバシーを守ることができる。
【００１７】
(2) 情報の公開時間を設定する構成とすれば、設定されている公開時間を参照し、情報を前記公開時間の間だけ公開を許可することができ、個人情報等の情報を秘匿でき、プライバシーを守ることができる。
【００１８】
(3) 情報の一時公開を許可する条件としての認証情報に、記号情報、又は／及び、指紋情報、静脈情報、その他の生体情報を用いれば、情報取得中又は機能操作中等の処理途上での認証情報の入力が容易であり、保存される情報の秘匿化の容易化を図ることができる。
【００１９】
(4) 端末装置によれば、例えば、プライバシー情報設定対応の携帯電話装置を容易に実現することができる。
【００２０】
そして、本発明の他の目的、特徴及び利点は、添付図面及び各実施の形態を参照することにより、一層明確になるであろう。
【発明を実施するための最良の形態】
【００２１】
〔第１の実施の形態〕
【００２２】
第１の実施の形態について、図１を参照する。図１は、第１の実施の形態に係る端末装置を示す図である。図１に示す構成は一例であって、斯かる構成に本発明が限定されるものではない。
【００２３】
この端末装置２は通信機能、情報処理機能、情報保存機能を備える例えば、移動体装置として構成される。この端末装置２の構成では、情報入力部４、公開情報蓄積部６、秘匿情報蓄積部８、情報保存制御部１０、指紋情報蓄積部１２、指紋検出部１４、表示制御部１６、画面表示部１８及び一時公開時間管理部２０を備えている。
【００２４】
情報入力部４は、入力される各種情報を受け付ける情報入力手段の一例であって、電話着信やメール受信等、外部からの情報を受け付ける。ここで情報とは、端末装置２で扱う全ての情報であって、個人情報等の各種の情報であり、電話番号やメールアドレス等の情報の他、プログラム等も含まれる。
【００２５】
公開情報蓄積部６は、公開情報を蓄積する情報蓄積手段の一例であって、公開情報を保持する。ここで公開情報とは、公開が許可された情報、秘匿設定されない情報である。
【００２６】
秘匿情報蓄積部８は、秘匿設定されている情報又は秘匿設定される情報を蓄積する情報蓄積手段の一例であって、秘匿情報を保持する。この秘匿情報蓄積部８には、蓄積情報のデータベースである情報蓄積テーブルとして電話帳２２が設定され、情報毎に保存日時及び一時公開の可否を表す情報が格納されている。図中、「×」は一時公開の禁止、「○」は一時公開の許可を表している。
【００２７】
情報保存制御部１０は、入力情報の保存形態や保存場所の選択等、保存制御を実行する制御手段の一例てあって、例えば、情報入力部４から入力された入力情報が公開情報か、秘匿情報かによって、情報保存先を振分ける。
【００２８】
指紋情報蓄積部１２は、指紋情報の蓄積手段の一例であって、情報公開に用いる認証情報の一例として情報公開用指紋情報を保持する。この指紋情報は例えば、指紋から抽出された特徴情報である。
【００２９】
指紋検出部１４は、指紋を検出し、指紋入力を確認する指紋検出手段の一例であって、情報公開用指紋の入力の有無を確認する。
【００３０】
表示制御部１６は、画像表示等の表示を制御する制御手段であって、例えば、公開情報と秘匿情報から表示可能な情報を抽出し、その情報を画面表示部１８に提供する。
【００３１】
画面表示部１８は、文字や図形等の画像を画面に表示する手段であって、例えば、ディスプレイを備え、表示制御部１６からの指示に基づき、表示可能な情報をディスプレイに表示する。
【００３２】
一時公開時間管理部２０は、一時公開の公開時間を管理し、公開時間の経過後、一時公開を禁止する公開管理手段であるとともに、時間設定手段であって、例えば、秘匿情報が一時公開から一定時間として例えば、１２時間の時間経過を検出した場合に、一時公開可能となっていた情報を一時公開不可の情報に変更する機能を備えている。情報入力部４からの入力によって公開時間の設定が可能である。
【００３３】
斯かる構成を備えたことにより、情報公開用の指紋情報を登録し、情報処理途上の例えば、情報取得中又は機能操作中に情報公開用の指紋情報入力を検出し、情報公開用の指紋情報の入力がある場合には保存する情報が公開され、情報公開用の指紋情報の入力がない場合には公開を禁止する。
【００３４】
次に、この端末装置のハードウェアについて、図２及び図３を参照する。図２は、端末装置のハードウェア構成を示す図、図３は、端末装置の外観構成例を示す図である。図２及び図３に示す構成は一例であって、斯かる構成に本発明が限定されるものではない。図２及び図３において、図１と同一部分又は対応箇所には同一符号を付してある。
【００３５】
この端末装置２は、プロセッサ２４、記憶部２６、ＲＡＭ（Random-Access Memory）２８、無線部３０、ＬＣＤ（Liquid Crystal Display）３２、タイマ３４、指紋読取りデバイス３６、入力操作部３８、音声入出力部３９を備えている。
【００３６】
プロセッサ２４は、情報の演算、保存等の情報処理を行う処理手段、情報入力制御、画面表示制御、秘匿制御等、各種機能部の制御を行う制御手段の一例であって、ＣＰＵ（Central Processing Unit ）やＭＰＵ（Micro Processor Unit）で構成され、記憶部２６にあるＯＳ（Operating System）やアプリケーションプログラムを実行するコンピュータを構成する。このプロセッサ２４は、既述の情報保存制御部１０、表示制御部１６及び／又は一時公開時間管理部２０を構成し、又はこれらの機能を実現する手段である。
【００３７】
記憶部２６は、プログラムやデータを記憶する記憶手段であって、例えば、ＲＯＭ（Read-Only Memory）４０及びデータ記憶部４２で構成される。ＲＯＭ４０はプログラム記憶部の一例であって、ＯＳやアプリケーションプログラムを格納する記録媒体で構成されている。データ記憶部４２は、各種データを記憶する記憶手段であって、記憶データの書き込みが可能であるとともに、格納されたデータが保存される記録媒体で構成される。データ記憶部４２は、既述の公開情報蓄積部６、秘匿情報蓄積部８及び／又は指紋情報蓄積部１２を構成し、又はこれらと同等のデータ蓄積機能を実現する手段であり、例えば、電話番号やメールアドレス等を格納する電話帳はデータ記憶部４２に構築されるデータベースの一例である。ＲＡＭ２８は、ワークメモリを構成している。
【００３８】
無線部３０は図示しない基地局との無線通信による通話やデータの送受を実行する通信手段であって、アンテナ４４を備え、基地局との間で無線信号の授受を行う。この無線部３０を通じて、外部からの情報を取得できる。この無線部３０は、既述の情報入力部４を構成し、情報入力の機能を備える。
【００３９】
ＬＣＤ３２は画像表示手段の一例であって、ＬＣＤ表示素子で構成される。このＬＣＤ３２は、既述の画面表示部１８を構成する。
【００４０】
タイマ３４は経時手段の一例であって、公開時間等の管理に用いられる。このタイマ３４は、プロセッサ２４とともに一時公開時間管理部２０を構成する。
【００４１】
指紋読取りデバイス３６は、ユーザの認証情報入力手段の一例であって、指紋検出部１４を構成し、ユーザの指紋から特徴情報を取得する。認証情報として他の生体情報、例えば、静脈情報を用いてもよく、その場合には静脈情報の読取りデバイスを設置すればよく、また、生体情報として人相情報を用いる場合にはカメラの使用も可能である。また、生体情報以外の認証情報として文字等の記号情報を用いる場合には、入力操作部３８が認証情報の入力手段に用いられる。
【００４２】
入力操作部３８は、ユーザ操作による情報入力手段であって、文字等の記号情報を入力するための複数のキー４６を備える。
【００４３】
音声入出力部３９は音声情報の入出力手段の一例であって、マイクロフォン４８及びレシーバ５０を備え、マイクロフォン４８からの音声入力、レシーバ５０から音声出力を再生させる。スピーカを備える構成としてもよい。
【００４４】
斯かる構成の端末装置２は例えば、図３に示すように、筐体として第１の筐体部５２と第２の筐体部５４とを備え、これら筐体部５２、５４をヒンジ部５５で連結し、ヒンジ部５５により開閉可能に構成されている。筐体部５２には入力操作部３８の複数のキー４６、指紋読取りデバイス３６、マイクロフォン４８が設置され、筐体部５４には画面表示部１８、アンテナ４４、レシーバ５０が設置されている。
【００４５】
次に、情報の登録について、図４を参照する。図４は、端末装置の情報登録の処理手順を示すフローチャートである。図４に示す処理手順は一例であって、斯かる処理手順に本件発明が限定されるものではない。
【００４６】
この処理手順は、情報秘匿方法又は情報秘匿プログラムの一例であって、電話番号等の各種情報の登録の処理手順である。この実施の形態では、蓄積手段に情報を蓄積する際に、情報を公開するための認証情報が入力されたか否かを監視しており、「蓄積手段に情報を蓄積する際」の一例として、情報入力部４に対する情報入力開始からユーザの保存操作までの期間を設定している。
【００４７】
図４に示すように、情報入力部４に登録予定の電話番号等の情報が入力されると（ステップＳ１１）、情報入力部４にその情報が一時的に保持される（ステップＳ１２）。この情報は、情報入力部４に対するユーザの保存操作により（ステップＳ１３）、情報保存制御部１０に転送される（ステップＳ１４）。
【００４８】
情報の転送を受けた情報保存制御部１０では、情報公開用指紋が入力されているか否かを監視し、情報入力部４に対する情報入力開始からユーザの保存操作までの期間に、指紋検出部１４に対する情報公開用指紋の入力の有無を問い合わせ（ステップＳ１５）、情報公開用指紋の入力があれば（ステップＳ１５のＹＥＳ）、その情報は秘匿情報蓄積部８に一時公開可の秘匿情報（即ち、一時公開情報）として保存され（ステップＳ１６）、一時公開が行われる。情報公開用指紋が入力されたか否かの判断では、例えば、指紋検出部１４において、入力された指紋情報と情報公開用指紋とが一致するか否かを判断し、入力指紋が情報公開用指紋に一致すれば、情報公開用指紋が入力されたことになる。情報の一時公開は、画面表示部１８の表示によって実行される。
【００４９】
情報入力部４に対する情報入力開始からユーザの保存操作までの期間において、情報公開用指紋の入力がなければ（ステップＳ１５のＮＯ）、既述の情報は一時公開不可の秘匿情報（即ち、非公開情報）として秘匿情報蓄積部８に保存される（ステップＳ１７）。この登録情報には、例えば図１に示すように、一時公開が不可である旨の情報も秘匿情報蓄積部８に格納される。
【００５０】
以上のように、蓄積すべき情報が入力された場合に、情報入力部４に対する情報入力開始からユーザの保存操作までの期間において、情報公開用指紋の入力を監視し、情報公開用指紋の入力があれば入力情報を公開情報として蓄積し、情報公開用指紋の入力がなければ秘匿情報として蓄積される。即ち、ユーザが入力情報を秘匿情報とするか一時公開情報とするかを判断し、情報公開用指紋を入力するか否かにより、蓄積された情報が秘匿情報として保存され、又は一時公開される公開情報として保存されるかを選択することができる。公開情報は画面表示部１８に表示され、一時公開即ち、一時的に公開される。
【００５１】
次に、情報として例えば、電話番号Ａ、Ｂの登録について、図５を参照する。図５は、端末装置の情報登録の処理手順を示すフローチャートである。図５に示す処理手順は一例であって、斯かる処理手順に本件発明が限定されるものではない。
【００５２】
この場合、電話番号Ａは秘匿情報、電話番号Ｂは公開情報であり、これらは図１に示す端末装置２の秘匿情報蓄積部８の電話帳２２に登録される。先ず、電話番号Ａの登録について説明すると、情報入力部４に電話番号Ａが入力されると（ステップＳ２１）、この電話番号Ａは情報入力部４に一時的に保持され（ステップＳ２２）、情報入力部４に対し、ユーザが保存のための操作により（ステップＳ２３）、情報保存制御部１０に転送される（ステップＳ２４）。
【００５３】
情報保存制御部１０では、情報入力部４に対する情報入力開始からユーザの保存操作までの期間において、情報公開用指紋が入力されているか否かを監視し、指紋検出部１４に情報公開用指紋の入力の有無についての問い合わせを行い、情報公開用指紋が入力されたか否かを判断する（ステップＳ２５）。情報公開用指紋が入力されなければ即ち、指紋情報蓄積部１２にある情報公開用指紋と一致する入力指紋がなければ（ステップＳ２５のＮＯ）、非公開情報として電話番号Ａが秘匿情報蓄積部８の電話帳２２に登録される（ステップＳ２６）。電話番号Ａは画面表示部１８に表示されない。
【００５４】
これに対し、公開情報として扱われる電話番号Ｂの登録について説明すると、情報入力部４に登録予定の電話番号Ｂが入力されると（ステップＳ２１）、この情報入力部４にその電話番号Ｂが一時的に保持される（ステップＳ２２）。この電話番号Ｂは、情報入力部４に対し、ユーザが保存のための操作により（ステップＳ２３）、情報保存制御部１０に転送される（ステップＳ２４）。
【００５５】
情報保存制御部１０では、情報入力部４に対する情報入力開始からユーザの保存操作までの期間において、情報公開用指紋の入力があれば（ステップＳ２５のＹＥＳ）、電話番号Ｂは一時公開情報として秘匿情報蓄積部８の電話帳２２に登録される（ステップＳ２７）。この電話番号Ｂには一時公開が可である旨の情報も秘匿情報蓄積部８に格納されて保存される。この場合、電話番号Ｂは画面表示部１８に表示され、一時公開される。
【００５６】
このように情報入力部４に対する情報入力開始からユーザの保存操作までの期間、即ち、秘匿情報蓄積部８に情報を蓄積する際に、ユーザの判断により、情報公開用指紋を入力するか否かに基づき、電話番号Ａは秘匿情報として、また、電話番号Ｂは公開情報として登録される。
【００５７】
次に、情報の公開について、図６を参照する。図６は、電話帳表示の処理手順を示すフローチャートである。図６に示す処理手順は一例であって、斯かる処理手順に本件発明が限定されるものではない。
【００５８】
これらの処理手順は情報秘匿方法又は情報秘匿プログラムの一例であって、一時公開が予定されている秘匿情報の公開の処理手順である。
【００５９】
図６に示すように、ユーザが電話帳２２の表示操作を実行すると（ステップＳ３１）、電話帳２２に一時公開中の情報があるか否かの判断を行い（ステップＳ３２）、一時公開中の情報があれば（ステップＳ３２のＹＥＳ）、一時公開中の情報を抜き出し（ステップＳ３３）、公開情報蓄積部６にある公開情報と、一時公開中の情報とが表示され（ステップＳ３４）、一時公開中の情報がなければ（ステップＳ３２のＮＯ）、公開情報蓄積部６にある公開情報のみが表示される（ステップＳ３５）。
【００６０】
この実施の形態では、秘匿情報蓄積部８の電話帳２２に一時公開中の情報として電話番号Ｂが存在しているので、電話帳２２から電話番号Ｂのみが抜き出され（ステップＳ３３）、表示制御部１６により電話番号Ｂと公開情報蓄積部６にある公開情報とが画面表示部１８に表示される（ステップＳ３４）。
【００６１】
このようにデータ登録の際に情報公開用指紋を入力するという一時公開操作を介在させ、情報公開用指紋の入力を行えば、その登録情報が公開されるように、情報公開用指紋の入力を行わなければ、その登録情報が非公開となるように設定でき、所望の情報を公開又は非公開とすることができる。
【００６２】
次に、一時公開された情報の秘匿について、図７を参照する。図７は、秘匿情報の処理手順を示すフローチャートである。図７に示す処理手順は一例であって、斯かる処理手順に本件発明が限定されるものではない。
【００６３】
この秘匿処理に関し、端末装置２には一時公開時間管理部２０が設けられ、秘匿情報が一時公開から一定時間（例えば、１２時間）経過を検出した場合に、一時公開可能となっていた情報を一時公開不可の情報へと自動的に変更する機能を備えている。これにより、一時公開した秘匿情報であっても、ユーザが秘匿情報蓄積部８から公開情報蓄積部６に情報を移動しない限り、その情報は秘匿状態におかれ、秘密が保持される。この結果、秘匿設定を忘れても、非公開としたい情報を見られることはない。
【００６４】
この処理手順は情報秘匿方法又は情報秘匿プログラムの一例であって、情報の一時公開後の秘匿処理の処理手順である。図７に示すように、情報公開中の情報について、一時公開中の情報があるか否かの判断を行い（ステップＳ４１）、一時公開中の情報があれば（ステップＳ４１のＹＥＳ）、公開時間が経過したか否かの判断を行い（ステップＳ４２）、経過した場合には（ステップＳ４２のＹＥＳ）、秘匿処理を実行する（ステップＳ４３）。また、ステップＳ４１において、一時公開中の情報がない場合（ステップＳ４１のＮＯ）には、この処理を終了する。
【００６５】
また、登録情報の処理に関し、登録情報を公開情報に変更する場合には、ＧＵＩ（Graphical User Interface）等の入力手段の操作により、秘匿情報蓄積部８に登録されている情報を公開情報蓄積部６に移動させればよい。
【００６６】
以上の実施の形態の利点又は効果を列挙すれば次の通りである。
【００６７】
(1) 情報公開用の指紋情報を登録し、情報取得中又は／及び機能操作中に情報公開用の指紋情報入力を検出することにより、情報公開用指紋情報の入力がある場合にのみ、保存する情報が公開されるというユーザ操作を実現することができる。
【００６８】
(2) 新たに取得した情報や初めて利用した機能について、ユーザが秘匿設定操作をしなくとも保存する情報が常に秘匿情報として扱われ、また、情報取得時に一時的に表示したい場合は、指紋入力という目立たない操作で表示される状態にできることから、秘匿設定／解除操作していることを他者に知られることがなく、プライバシーが守られる。
【００６９】
(3) その結果、ユーザが情報公開用の操作をしない場合には、保存する情報は秘匿情報として扱われ、秘匿設定操作していることを他者に知られることがなく、秘匿設定忘れによる不都合もない。
【００７０】
(4) 従来の端末装置のプライバシーモードの処理では、新たに取得した情報や初めて利用した機能については別に秘匿設定操作が必要であり、且つその操作が複雑であるため、秘匿の設定操作を行っていることが他者に知られるという不都合があったが、情報を秘匿情報として扱い、その公開又は一時公開のための操作によって情報を公開するので、秘匿設定を忘れる不都合がなく、面倒な秘匿設定であると、非公開としたい情報が保護されず、他人の目に触れるという不都合もない。
【００７１】
(5) 非公開としたい情報を他人の目に触れることなく、秘匿したという要請に応えることができ、例えば、プライバシー情報設定対応の携帯電話装置を容易に実現できる。
【００７２】
〔第２の実施の形態〕
【００７３】
第２の実施の形態について、図８、図９及び図１０を参照する。図８は、第２の実施の形態に係る端末装置を示す図、図９は、端末装置のハードウェア構成を示す図、図１０は、第２の実施の形態に係る処理手順を示すフローチャートである。図８、図９及び図１０に示す構成は一例であって、斯かる構成に本発明が限定されるものではない。
【００７４】
この実施の形態の端末装置２では、一時公開時間（一時公開可能から一時公開不可へ自動的に遷移するまでの期限）は、ユーザにより設定可能とし、図８に示すように、その設定値を公開時間情報格納部５６に保存する構成としたものである。一時公開時間超過は例えば、情報の保存日時と現在日時の差分の周期監視により検出すればよい。
【００７５】
公開時間情報格納部５６は、図９に示すように、データ記憶部４２に設定すればよい。また、この実施の形態の端末装置２には図２及び図３に示す端末装置２が用いられる。図８及び図９において、図１〜図３と同一部分には、同一符号を付し、その説明を省略する。
【００７６】
このような公開時間情報格納部５６を備えて、一時公開時間をユーザにより設定可能とした場合の処理手順（図１０）は、情報秘匿方法又は情報秘匿プログラムの一例であって、一時公開時間の設定を行う（ステップＳ５１）。この場合、初期設定値を有する構成としてもよい。
【００７７】
新規情報を取得し（ステップＳ５２）、一時公開用指紋の入力があるか否かを判定し（ステップＳ５３）、一時公開用指紋の入力があれば（ステップＳ５３のＹＥＳ）、その新規情報は、一時公開可の秘匿情報として秘匿情報蓄積部８に保存され（ステップＳ５４）、一時公開用指紋の入力がなければ（ステップＳ５３のＮＯ）、一時公開不可の秘匿情報として秘匿情報蓄積部８に保存される（ステップＳ５５）。
【００７８】
このような保存の後、ユーザによる公開操作があるか否かを監視し（ステップＳ５６）、公開操作があれば（ステップＳ５６のＹＥＳ）、秘匿情報は秘匿情報蓄積部８から公開情報蓄積部６に移行させて公開情報として保存する（ステップＳ５７）。
【００７９】
また、公開操作がなければ（ステップＳ５６のＮＯ）、一時公開が設定された秘匿情報は、情報保存から一時公開時間の経過を監視し（ステップＳ５８）、一時公開時間が経過すれば（ステップＳ５８のＹＥＳ）、一時公開不可の秘匿情報として秘匿情報蓄積部８に保存される（ステップＳ５９）。
【００８０】
このように公開時間情報格納部５６に公開時間を設定すれば、設定された公開時間だけ情報を公開することができ、その公開時間の経過後、一時公開不可の秘匿情報として保存することができる。その他の利点及び効果は第１の実施の形態と同様であるので、その説明を省略する。
【００８１】
〔他の実施の形態〕
【００８２】
上記実施の形態では、一時公開時間管理部２０（図１、図８）を備えて秘匿情報が一時公開から一定時間例えば、１２時間を経過した場合に、一時公開が可能となっていた情報を一時公開不可の情報に自動変更する構成としているが、このような機能に加え、例えば、一時公開の可否を編集する編集機能を備えた構成としてもよい。
【００８３】
上記実施の形態では、登録情報を公開情報としたい場合にＧＵＩ等での操作により秘匿情報蓄積部８の情報を公開情報蓄積部６に移動する機能について説明したが、斯かる構成において、秘匿情報の公開操作の容易化のため、一時公開中の秘匿情報を一括で公開情報蓄積部６に移動する機能部を設けてもよい。
【００８４】
認証情報に関し、上記実施の形態では、指紋情報を例示したが、画面表示部１８に表示される記号情報の選択や、入力操作部３８からユーザにより入力又は選択される記号情報であってもよく、また、指紋情報以外の生体情報として例えば、静脈情報、その他の生体情報であってもよく、これら記号情報と生体情報とを併用してもよい。
【００８５】
また、認証情報に関し、例えば、図１１に示すように、掌５８の人指し指指紋６０を端末装置２の立ち上げのための認証情報に使用し、薬指指紋６２を既述の一時公開用指紋に設定し、指の種類で認証情報を異ならせてもよいし、同一指紋を用いてもよい。
【００８６】
上記実施の形態では、端末装置２として携帯電話機等の携帯端末装置（図３）を例示したが、図１２に示すように、パーソナルコンピュータ（ＰＣ）２００であってもよいし、図１３に示すように、携帯情報端末機（ＰＤＡ：Personal Digital Assistant）４００であってもよい。これらＰＣ２００、ＰＤＡ４００には、図１、図２、図３、図８、図９と同一部分には同一符号を付し、その説明を省略する。
【００８７】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８８】
（付記１）  情報の保存機能を備える端末装置であって、
情報を蓄積する蓄積手段と、
前記情報の公開を許可するための認証情報を入力する認証情報入力手段と、
前記蓄積手段に蓄積する前記情報と前記認証情報の入力とを監視し、前記認証情報の入力があれば前記情報の公開を許可し、前記認証情報の入力がなければ前記情報の公開を禁止する処理手段と、
を備えることを特徴とする端末装置。
【００８９】
（付記２）  付記１記載の端末装置において、
前記処理手段が公開を許可した場合に、公開が許可された前記情報を表示する表示手段を備えることを特徴とする端末装置。
【００９０】
（付記３）  付記１記載の端末装置において、
前記処理手段は、情報取得中又は機能操作中に前記認証情報の入力があれば前記情報の公開を許可することを特徴とする端末装置。
【００９１】
（付記４）  付記１記載の端末装置において、
前記処理手段は、前記情報の入力開始から保存までの間に前記認証情報の入力があれば前記情報の公開を許可することを特徴とする端末装置。
【００９２】
（付記５）  付記１記載の端末装置において、
前記情報の公開時間を設定する時間設定手段を備え、前記処理手段は、前記時間設定手段に設定されている前記公開時間を参照し、前記情報を前記公開時間の間だけ公開することを特徴とする端末装置。
【００９３】
（付記６）  付記１、２、３又は４記載の端末装置において、
前記認証情報は、記号情報、又は／及び、指紋情報、静脈情報、その他の生体情報であることを特徴とする端末装置。
【００９４】
（付記７）  情報の保存機能を備える端末装置の情報秘匿方法であって、
公開を許可するための認証情報を入力するステップと、
蓄積手段に蓄積される前記情報と前記認証情報の入力とを監視し、前記認証情報の入力があれば前記情報の公開を許可し、前記認証情報の入力がなければ前記情報の公開を禁止するステップと、
を含むことを特徴とする、端末装置の情報秘匿方法。
【００９５】
（付記８）  付記７記載の端末装置の情報秘匿方法において、
公開が許可された前記情報を表示するステップを含むことを特徴とする、端末装置の情報秘匿方法。
【００９６】
（付記９）  付記７記載の端末装置の情報秘匿方法において、
情報取得中又は機能操作中に前記認証情報の入力があれば前記情報の公開を許可するステップを含むことを特徴とする、端末装置の情報秘匿方法。
【００９７】
（付記１０）  付記７記載の端末装置の情報秘匿方法において、
前記情報の入力開始から保存までの間に前記認証情報の入力があれば前記情報の公開を許可するステップを含むことを特徴とする、端末装置の情報秘匿方法。
【００９８】
（付記１１）  付記７記載の端末装置の情報秘匿方法において、
前記情報の公開時間を設定するステップと、
前記公開時間を参照し、前記情報を前記公開時間の間だけ公開するステップと、
を含むことを特徴とする、端末装置の情報秘匿方法。
【００９９】
（付記１２）  付記７、８、９又は１０記載の端末装置の情報秘匿方法において、
前記認証情報は、記号情報、又は／及び、指紋情報、静脈情報、その他の生体情報であることを特徴とする、端末装置の情報秘匿方法。
【０１００】
（付記１３）  情報の保存機能を備える端末装置の情報秘匿プログラムであって、
公開を許可するための認証情報を入力するステップと、
蓄積手段に蓄積される前記情報と前記認証情報の入力とを監視し、前記認証情報の入力があれば前記情報の公開を許可し、前記認証情報の入力がなければ前記情報の公開を禁止するステップと、
を含むことを特徴とする、端末装置の情報秘匿プログラム。
【０１０１】
（付記１４）  付記１３記載の端末装置の情報秘匿プログラムにおいて、
公開が許可された前記情報を表示するステップを含むことを特徴とする、端末装置の情報秘匿プログラム。
【０１０２】
（付記１５）  付記１３記載の端末装置の情報秘匿プログラムにおいて、
情報取得中又は機能操作中に前記認証情報の入力があれば前記情報の公開を許可するステップを含むことを特徴とする、端末装置の情報秘匿プログラム。
【０１０３】
（付記１６）  付記１３記載の端末装置の情報秘匿プログラムにおいて、
前記情報の入力開始から保存までの間に前記認証情報の入力があれば前記情報の公開を許可するステップを含むことを特徴とする、端末装置の情報秘匿プログラム。
【０１０４】
（付記１７）  付記１３記載の端末装置の情報秘匿プログラムにおいて、
前記情報の公開時間を設定するステップと、
前記公開時間を参照し、前記情報を前記公開時間の間だけ公開するステップと、
を含むことを特徴とする、端末装置の情報秘匿プログラム。
【０１０５】
（付記１８）  付記１３、１４、１５又は１６記載の端末装置の情報秘匿プログラムにおいて、
前記認証情報は、記号情報、又は／及び、指紋情報、静脈情報、その他の生体情報であることを特徴とする、端末装置の情報秘匿プログラム。
【０１０６】
（付記１９）  情報の保存機能を備える端末装置の情報秘匿プログラムを格納し、コンピュータ読取り可能な記録媒体であって、
公開を許可するための認証情報を入力するステップと、
前記蓄積手段に蓄積する前記情報と前記認証情報の入力とを監視し、前記認証情報の入力があれば前記情報の公開を許可し、前記認証情報の入力がなければ前記情報の公開を禁止するステップと、
を含む情報秘匿プログラムを格納したことを特徴とする、コンピュータ読取り可能な記録媒体。
【０１０７】
（付記２０）  付記１９記載のコンピュータ読取り可能な記録媒体において、
公開が許可された前記情報を表示するステップを含む情報秘匿プログラムを格納したことを特徴とする、コンピュータ読取り可能な記録媒体。
【０１０８】
（付記２１）  付記１９記載のコンピュータ読取り可能な記録媒体において、
情報取得中又は機能操作中に前記認証情報の入力があれば前記情報の公開を許可するステップを含む情報秘匿プログラムを格納したことを特徴とする、コンピュータ読取り可能な記録媒体。
【０１０９】
（付記２２）  付記１９記載のコンピュータ読取り可能な記録媒体において、
前記情報の入力開始から保存までの間に前記認証情報の入力があれば前記情報の公開を許可するステップを含む情報秘匿プログラムことを特徴とする、コンピュータ読取り可能な記録媒体。
【０１１０】
（付記２３）  付記１９記載のコンピュータ読取り可能な記録媒体において、
前記情報の公開時間を設定するステップと、
前記公開時間を参照し、前記情報を前記公開時間の間だけ公開するステップと、
を含む情報秘匿プログラムを格納したことを特徴とする、コンピュータ読取り可能な記録媒体。
【０１１１】
（付記２４）  付記１９、２０、２１又は２２記載のコンピュータ読取り可能な記録媒体において、
前記認証情報は、記号情報、又は／及び、指紋情報、静脈情報、その他の生体情報であることを特徴とする、コンピュータ読取り可能な記録媒体。
【０１１２】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１１３】
本発明は、携帯電話装置等の個人情報等の保存機能を備えた端末装置の情報秘匿に関し、蓄積手段に蓄積される情報と認証情報の入力とを監視し、認証情報の入力があれば、情報を公開情報として保存し、認証情報の入力がなければ、情報を秘匿情報として保存するので、電話番号等の個人情報、その他の情報を保護し、プライバシーを守ることができ、プライバシー情報設定対応の携帯電話機として実現できる等、有用である。
【図面の簡単な説明】
【０１１４】
【図１】第１の実施の形態に係る端末装置を示す図である。
【図２】端末装置のハードウェア構成を示す図である。
【図３】端末装置の外観構成例を示す図である。
【図４】端末装置の情報登録の処理手順を示すフローチャートである。
【図５】端末装置の情報登録の処理手順を示すフローチャートである。
【図６】電話帳表示の処理手順を示すフローチャートである。
【図７】秘匿情報の処理手順を示すフローチャートである。
【図８】第２の実施の形態に係る端末装置を示す図である。
【図９】端末装置のハードウェア構成を示す図である。
【図１０】第２の実施の形態に係る処理手順を示すフローチャートである。
【図１１】認証情報の一例を示す図である。
【図１２】他の実施の形態に係るＰＣを示す図である。
【図１３】他の実施の形態に係るＰＤＡを示す図である。
【符号の説明】
【０１１５】
２  端末装置
４  情報入力部
６  公開情報蓄積部
８  秘匿情報蓄積部
１０  情報保存制御部
１２  指紋情報蓄積部
１４  指紋検出部
２０  一時公開時間管理部
２４  プロセッサ
３６  指紋読取りデバイス
３８  入力操作部
【図１】
0005266784.tif 000002
【図２】
0005266784.tif 000003
【図３】
0005266784.tif 000004
【図４】
0005266784.tif 000005
【図５】
0005266784.tif 000006
【図６】
0005266784.tif 000007
【図７】
0005266784.tif 000008
【図８】
0005266784.tif 000009
【図９】
0005266784.tif 000010
【図１０】
0005266784.tif 000011
【図１１】
0005266784.tif 000012
【図１２】
0005266784.tif 000013
【図１３】
0005266784.tif 000014